(57)【要約】【課題】オートサーチの時間が短縮されたデジタル衛星放送受信チューナを提供する。【解決手段】衛星放送受信機５の初期設置時に実行される、衛星毎の受信可能チャンネルの検証において、ＰＬＬ９の周波数は固定のまま、ＱＰＳＫ復調ＩＣ１５の周波数引き込み範囲を、通常使用時よりも広い周波数引き込み範囲となるように設定し、上記通常使用時より広い周波数引き込み範囲内で、ＱＰＳＫ復調ＩＣ１５の周波数オフセットを設定する機能により、周波数ステップＦｓｔｅｐ’でオフセットをシフトしながら、受信周波数範囲全体について信号サーチを行う機能を有する。【選択図】図３
2009105859.tif 000002
【特許請求の範囲】
【請求項１】
ベースバンド信号をデジタル復調するＱＰＳＫ復調ＩＣと、
衛星放送受信機の初期設置時に、衛星毎の受信可能チャンネルの検証であるオートサーチを実行するオートサーチ実行手段とを備えた衛星放送受信チューナにおいて、
上記オートサーチ実行手段は、選局ＰＬＬの周波数は固定のまま、上記ＱＰＳＫ復調ＩＣの周波数引き込み範囲を、通常使用時よりも広い周波数引き込み範囲となるように設定する周波数引き込み範囲設定手段と、
上記通常使用時より広い周波数引き込み範囲内で、上記ＱＰＳＫ復調ＩＣの信号サーチ開始周波数を設定する信号サーチ開始周波数設定手段と、
特定の周波数ステップで上記信号サーチ開始周波数をシフトしながら、信号サーチを行う信号サーチ手段とを有することを特徴とする衛星放送受信チューナ。
【請求項２】
前記オートサーチ実行手段は、上記選局ＰＬＬの周波数を、上記ＱＰＳＫ復調ＩＣの周波数引き込み範囲毎にシフトさせることで、受信周波数範囲全体について信号サーチを行うことを特徴とする請求項１に記載の衛星放送受信チューナ。
【請求項３】
上記周波数引き込み範囲設定手段は、上記選局ＰＬＬの周波数のシフトによる周波数シフト範囲を、上記ＱＰＳＫ復調ＩＣの周波数引き込み範囲よりも狭く設定し、
上記オートサーチ実行手段は、上記周波数シフト範囲と上記ＱＰＳＫ復調ＩＣの周波数引き込み範囲との間に、最大受信帯域分を重複する領域を持たせる領域重複手段を有することを特徴とする請求項２に記載の衛星放送受信チューナ。
【請求項４】
上記オートサーチ実行手段は、上記ＱＰＳＫ復調部で受信する信号帯域幅の範囲を任意に設定する信号帯域幅設定手段を有することを特徴とする請求項３に記載の衛星放送受信チューナ。
【請求項５】
上記オートサーチ実行手段は、チューナＲＦ部に用意されている帯域フィルタの帯域幅を上記ＱＰＳＫ復調ＩＣの周波数引き込み範囲よりも広く設定する帯域フィルタ帯域幅設定手段を有し、
上記オートサーチ実行手段は、上記ＱＰＳＫ復調ＩＣの周波数引き込み範囲を広げた状態でオートサーチを実施することを特徴とする請求項１または２に記載の衛星放送受信チューナ。
【請求項６】
上記ＱＰＳＫ復調ＩＣは、請求項１〜５のいずれか１項に記載の各手段を有することを特徴とする衛星放送受信チューナ。
【請求項７】
上記ＱＳＫＰ復調ＩＣから出力されたデジタル復調信号から記録信号を復調するＭＰＥＧ復調ＩＣを備え、
前記ＭＰＥＧ復調ＩＣは、請求項１〜５のいずれか１項に記載の各手段を有することを特徴とする衛星放送受信チューナ。
【請求項８】
請求項１〜７のいずれか１項に記載の衛星放送受信チューナを搭載したことを特徴とする衛星放送受信機。
【発明の詳細な説明】
【技術分野】
【０００１】
本発明はデジタル衛星放送受信チューナ及びそれを有する衛星放送受信機に関するものである。
【背景技術】
【０００２】
図８に従来のデジタル衛星放送システム１０１のブロック図を示す。衛星からの信号１０２をＤＩＳＨアンテナ１０３で受信し、ＬＮＢ（Low Noise Block Converter）１０４で周波数変換される。周波数変換後の信号は、衛星放送受信機１０５に入力される。衛星放送受信機１０５は、例えばセットトップボックス（ＳＴＢ:Set Top Box）である。衛星放送受信機１０５に入力されるＲＦ信号１０６は、チューナ部１０７へ入力され、チューナ部１０７が有するＡＭＰ１０８により信号レベルを調整される。信号レベルを調整後のＲＦ信号は、ローカル周波数Ｆ＿ｌｏの信号を出力するＰＬＬ１０９、周波数Ｆ＿ｌｏの信号の位相を９０°シフトする９０度位相器(90deg shifter)１１０、並びに信号レベルを調整後のＲＦ信号と位相を９０°シフトされた周波数Ｆ＿ｌｏの信号とを混合するミキサ１１１及びミキサ１１２によりベースバンド信号に変換される。上記ベースバンド信号は、ＬＰＦ１１３及びＬＰＦ１１４により帯域外の不必要な信号を除去された後、ＱＰＳＫ復調ＩＣ１１５が有するＱＰＳＫ復調部１１６に入力される。ＱＰＳＫ復調ＩＣ１１５には、振動子１２７が接続され、振動子１２７によりＱＰＳＫ復調ＩＣ１１５に基準周波数が提供される。振動子１２７には、通常水晶振動子が用いられる。
【０００３】
希望信号の選局は、通常、バックエンド・デコーダ部１１７が有するＭＰＥＧ復調ＩＣ１１８に搭載されるＣＰＵ１１９が、ＱＰＳＫ復調ＩＣ１１５を制御し、ユーザが指定した選局情報を元に、ＱＰＳＫ復調部１１６経由で、ＰＬＬ１０９にＰＬＬ制御信号１２０を送信することにより、選局周波数情報を設定することで行われる。ＬＰＦ１１３及びＬＰＦ１１４から出力され、ＱＰＳＫ復調部１１６に入力された、ベースバンド信号（Ｉ信号）１２１及びベースバンド信号（Ｑ信号）１２２は、バックエンド・デコーダ部１１７からのＱＰＳＫ復調部制御信号１２３により、デジタル復調が行われ、ＴＳ（トランスポートストリーム）信号１２４として出力される。ＴＳ信号１２４は、ＭＰＥＧ復調ＩＣ１１８により、映像／音声信号１２５に復調される。
【０００４】
信号を受信する場合、受信される信号条件に応じて、チューナ部１０７及びＱＰＳＫ復調部１１６を制御する必要がある。信号の受信は、選局周波数の設定と、ＱＰＳＫ復調部１１６での信号サーチとによって行われる。チューナ部１０７及びＱＰＳＫ復調部１１６の制御は、バックエンド・デコーダ部１１７に搭載されるＣＰＵ１１９により行われ、制御プログラムは、予めＭＰＥＧ復調ＩＣ１１８の外部に設けられたメモリ１２６等に記憶されているものを使用する。
【０００５】
図９に、チューナに入力されるＲＦ信号の概略図を示す。横軸を周波数として、チューナが受信する信号の周波数の範囲９５０ＭＨｚ〜２１５０ＭＨｚに、ＱＰＳＫ変調された信号ＴＰ（トランスポンダ）が、衛星毎に決められた周波数テーブルに従って存在する。仕様上、各ＴＰのシンボルレートは、１Ｍｓｐｓ〜４５Ｍｓｐｓの範囲の値を取りうることになる。
【０００６】
衛星放送における信号受信において、受信地域毎に、地理的要因等から信号状況が異なることから、同じ衛星からの信号においても、受信できるＴＰ信号の数が異なってくる場合がある。このため、デジタル衛星放送システムが有するアンテナ及びチューナの初期設置時において、衛星毎に受信可能チャンネルの可否の検証、即ちオートサーチを行う必要がある。視聴時は、このオートサーチの情報を元にチャンネル選択を行うことになる。
【０００７】
上記オートサーチにおいて、図１０に示すように、まず、選局周波数を受信周波数範囲の下端Ｆｍｉｎ（９５０ＭＨｚ）に設定した後、ＱＰＳＫ復調部１１６が設定された選局周波数を中心に信号サーチを行う。ＱＰＳＫ復調部１１６は、上記信号サーチにより、予め設定されたＱＰＳＫ復調の周波数引き込み範囲（±Fqpsk/2）内に存在する、中心周波数及びシンボルレートが定められているＱＰＳＫ信号を再生することで復調を行う。
【０００８】
ＱＰＳＫ復調の周波数引き込み範囲は、通常±５ＭＨｚ程度に設定されている。これは、衛星からの信号（C-Band :4G-8GHz／Ku-band:12G-18GHz）を受信するＤＩＳＨアンテナ１０３に取り付けられたＬＮＢ１０４によって、周波数がチューナ受信帯域（９５０ＭＨｚ〜２１５０ＭＨｚ）にダウンコンバートされるが、ダウンコンバートの際に使用されるＬＮＢ１０４のローカル発振周波数Ｆ＿ｌｎｂ＿ｌｏが、屋外の温度変動等によりドリフトすることにより、コンバート後のチューナ入力周波数にオフセットが生じる。このオフセット周波数の想定量から、ＱＰＳＫ復調の周波数引き込み範囲を±５ＭＨｚ程度としている。
【０００９】
ＱＰＳＫ復調部１１６の機能としての引き込み能力としては、通常、上記周波数引き込み範囲よりも広い範囲が設定可能である。たとえば、現行チューナとして搭載されているＱＰＳＫ復調ＩＣ１１５が有するＱＰＳＫ復調部１１６の周波数引き込み範囲は、仕様上、±Fmclk／２＝１００ＭＨｚ、即ちFmclk＝１００ＭＨｚとなっており、±５０ＭＨｚの周波数引き込み範囲があることになる。
【００１０】
しかし、実際の信号サーチにおいて、この周波数引き込み範囲を広く設定しすぎると、隣接したＴＰ信号を誤って引き込んでしまう弊害が想定される。
【００１１】
また、実際に広い周波数引き込み範囲を設定したとしても、特に低シンボルレートの信号を受信する場合、コンバート後のチューナ入力周波数に生じるオフセットが大きすぎる場合、上記低シンボルレートの信号を正しくロックできず、予め周波数引き込み範囲を制限したほうが、確実にロックすることができる。
【００１２】
以上のように、ＱＰＳＫ復調における周波数引き込み範囲としては、ＱＰＳＫ復調部１１６が実際に持つ周波数引き込み範囲能力よりも狭い値が設定され、ＱＰＳＫ復調の周波数引き込み範囲内に信号が存在する場合、ＱＰＳＫ復調部での信号サーチにより、受信信号の復調動作を行うことになる。
【００１３】
上記オートサーチ動作は、チューナが受信する信号の周波数の範囲９５０ＭＨｚ〜２１５０ＭＨｚについて、受信信号をロックできるか否かの判定、即ち上述した選局周波数をＦｍｉｎに設定後の信号サーチを、選局周波数を特定の周波数ステップＦｓｔｅｐでシフトしながら行うことで実行される。例えば、図１０において、周波数範囲ＲＡＮＧＥ１０１に含まれる周波数Ｆ１０１を選局後、ＲＡＮＧＥ１０１の範囲をＱＰＳＫ復調の周波数引き込み範囲として信号サーチを行う。このとき、周波数範囲ＲＡＮＧＥ１０１内に、信号ＴＰ１０１の中心周波数が存在しているので、信号ＴＰ１０１をロックすることになり、信号ＴＰ１０１についての番組情報等を読み取り、別途メモリに蓄積する。
【００１４】
次に、周波数範囲ＲＡＮＧＥ１０２について信号サーチを行うために、選局周波数を周波数ステップＦｓｔｅｐだけシフトさせ、周波数Ｆ１０２を選局する。そして、上記と同様、再選局した選局周波数Ｆ１０２を中心に、再度周波数範囲ＲＡＮＧＥ１０２内の信号をサーチすることになる。この時、周波数範囲ＲＡＮＧＥ１０２内には信号は存在しないので、次の周波数Ｆ１０３を選局し、周波数範囲ＲＡＮＧＥ１０３について信号サーチを行うことになる。このように選局及び信号サーチを繰り返しながら、受信信号周波数範囲の上端Ｆｍａｘ（２１５０ＭＨｚ）まで信号サーチ、即ちスイープを行う。
【００１５】
従来のデジタル衛星放送システム１０１と同様に、チャンネルあるいは放送のサーチを行うものとして、特許文献１では、全チャンネルを自動的にサーチすることによりオートプリセットが行なわれ、全チャネルのオートプリセット動作速度の向上が図られた選局装置が開示されている。また、特許文献２では、チャンネルサーチ時間を短縮できる受信装置が開示されている。さらに、特許文献３では、受信可能な放送のサーチを確実に行うと共に所要時間を短縮したディジタル音声放送受信機が開示されている。
【特許文献１】特開平６−８５６１６号公報（平成６年３月２５日公開）
【特許文献２】特開平１０−１４５１８８号公報（平成１０年５月２９日公開）
【特許文献３】特開平１０−３１３２８５号公報（平成１０年１１月２４日公開）
【発明の開示】
【発明が解決しようとする課題】
【００１６】
上記構成において、従来のデジタル衛星放送システム１０１は、受信周波数範囲において、規定の周波数ステップＦｓｔｅｐ毎に信号サーチを行うが、周波数ステップ毎に選局した後、選局ＰＬＬのループを安定させるためのウェイト時間が必要になる。上記ウェイト時間は、通常１００ｍｓ程度の値を設定している。
【００１７】
例えば、チューナが受信する信号の周波数の範囲９５０ＭＨｚ〜２１５０ＭＨｚを、Ｆｓｔｅｐ＝２ＭＨｚで信号サーチを行う場合を考えると、（２１５０−９５０）／２＊１００＝６００００〔ｍｓ〕＝６０秒となり、合計すると、上記ウェイト時間として１分程度費やしていることになる。通常、オートサーチに要する時間は５分程度であり、上記ウェイト時間が１分程度の場合、オートサーチにおけるウェイト時間の割合は、約２０％となる。従って、ウェイト時間が、オートサーチにおける他の動作に要する時間と比較して長いものとなるので、従来のデジタル衛星放送システム１０１では、オートサーチに要する時間が長くなるという問題点を有している。
【００１８】
本発明は、上記従来の問題点に鑑みなされたものであり、その目的は、衛星放送受信機において、オートサーチの時間が短縮されたデジタル衛星放送受信チューナを提供することである。
【課題を解決するための手段】
【００１９】
本発明の衛星放送受信チューナは、上記課題を解決するために、ベースバンド信号をデジタル復調するＱＰＳＫ復調ＩＣと、衛星放送受信機の初期設置時に、衛星毎の受信可能チャンネルの検証であるオートサーチを実行するオートサーチ実行手段とを備えた衛星放送受信チューナにおいて、上記オートサーチ実行手段は、選局ＰＬＬの周波数は固定のまま、上記ＱＰＳＫ復調ＩＣの周波数引き込み範囲を、通常使用時よりも広い周波数引き込み範囲となるように設定する周波数引き込み範囲設定手段と、上記通常使用時より広い周波数引き込み範囲内で、上記ＱＰＳＫ復調ＩＣの信号サーチ開始周波数を設定する信号サーチ開始周波数設定手段と、特定の周波数ステップで上記信号サーチ開始周波数をシフトしながら、信号サーチを行う信号サーチ手段とを有することを特徴とする。
【００２０】
上記発明によれば、上記ＱＰＳＫ復調ＩＣは、通常使用時よりも広い周波数引き込み範囲、及び信号サーチ開始周波数のオフセットを設定する機能を有している。
【００２１】
受信周波数範囲をサーチするにあたって、上記ＱＰＳＫ復調ＩＣの内部で、信号サーチ開始周波数のオフセットを設定する機能を利用して、このオフセット値を特定の周波数ステップでシフトさせる。
【００２２】
上記通常使用時よりも広い引き込み範囲内において、通常、引き込み範囲の中心からスタートし、予め設定された周波数範囲について信号をサーチするが、上記ＱＰＳＫ復調ＩＣは、信号サーチ開始周波数を任意に設定することが可能である。この機能及び上記通常使用時よりも広い引き込み範囲を最大限利用し、この引き込み範囲全域を、信号サーチ開始周波数を特定ステップでシフトさせながら信号サーチを行う。
【００２３】
このように、上記発明によれば、上記選局ＰＬＬの周波数は固定のまま、上記通常使用時よりも広い周波数引き込み範囲を主に利用して信号サーチを行っているので、上記選局ＰＬＬの選局回数を減らすことが可能となり、上記選局ＰＬＬの周波数の固定時に必要なウェイト時間が短縮される。従って、オートサーチ時間を短縮することが出来る。
【００２４】
上記衛星放送受信チューナでは、前記オートサーチ実行手段は、上記選局ＰＬＬの周波数を、上記ＱＰＳＫ復調ＩＣの周波数引き込み範囲毎にシフトさせることで、受信周波数範囲全体について信号サーチを行ってもよい。
【００２５】
これにより、受信周波数全域について信号サーチを行う場合、まず、上記通常使用時よりも広い引き込み範囲で信号サーチを行い、上記より広い引き込み範囲の信号サーチ終了後に、選局周波数のシフトを行う。選局周波数のシフトを行う周波数ステップは、上記より広い引き込み範囲をオフセット周波数分だけシフトすればよいことになる。
【００２６】
以上のように、オートサーチにおいて、受信周波数範囲を信号サーチする場合、実際の選局周波数のシフトと、上記ＱＰＳＫ復調ＩＣのオフセット設定機能による信号サーチ開始周波数のシフトとを組み合わせて利用することで、選局回数を減らすことが出来る。
【００２７】
従って、選局回数を減らすことにより、選局時のウェイト時間を短縮させることが出来るので、オートサーチ時間を短縮することが出来る。
【００２８】
上記衛星放送受信チューナでは、上記周波数引き込み範囲設定手段は、上記選局ＰＬＬの周波数のシフトによる周波数シフト範囲を、上記ＱＰＳＫ復調ＩＣの周波数引き込み範囲よりも狭く設定し、上記オートサーチ実行手段は、上記周波数シフト範囲と上記ＱＰＳＫ復調ＩＣの周波数引き込み範囲との間に、最大受信帯域分を重複する領域を持たせる領域重複手段を有してもよい。
【００２９】
これにより、領域毎に信号サーチを行う信号帯域を分担することで、複数回、狭い帯域の信号を確認することを避けることが出来、効率良く信号サーチを行うことができる。
【００３０】
上記衛星放送受信チューナでは、上記オートサーチ実行手段は、上記ＱＰＳＫ復調部で受信する信号帯域幅の範囲を任意に設定する信号帯域幅設定手段を有してもよい。
【００３１】
これにより、上記重複する領域におけるサーチにおいて、それぞれの領域におけるサーチが、同じ信号条件とならなくなる。領域毎に信号サーチを行う信号帯域を分担することで、複数回、狭い帯域の信号を確認することを避けることが出来、効率良く信号サーチを行うことが出来る。
【００３２】
上記衛星放送受信チューナでは、上記オートサーチ実行手段は、チューナＲＦ部に用意されている帯域フィルタの帯域幅を上記ＱＰＳＫ復調ＩＣの周波数引き込み範囲よりも広く設定する帯域フィルタ帯域幅設定手段を有し、上記オートサーチ実行手段は、上記ＱＰＳＫ復調ＩＣの周波数引き込み範囲を広げた状態でオートサーチを実施してもよい。
【００３３】
これにより、上記ＱＰＳＫ復調ＩＣの周波数引き込み範囲を最大限利用出来る、効率的な信号サーチが可能になる。
【００３４】
上記衛星放送受信チューナでは、上記ＱＰＳＫ復調ＩＣは、上記いずれかの各手段を有してもよい。
【００３５】
これにより、効率良く信号サーチを行うことが出来、選局回数を減らし、選局時のウェイト時間を短縮させることが出来るので、オートサーチ時間を短縮することが出来る。
【００３６】
上記衛星放送受信チューナでは、上記ＱＳＫＰ復調ＩＣから出力されたデジタル復調信号から記録信号を復調するＭＰＥＧ復調ＩＣを備え、前記ＭＰＥＧ復調ＩＣは、上記いずれかの各手段を有してもよい。
【００３７】
これにより、オートサーチを行う手段を有するＱＰＳＫ復調ＩＣと、上記ＭＰＥＧ復調ＩＣとを一体化することが出来、効率的な処理及びＩＣの小型化が可能になる。
【００３８】
本発明の衛星放送受信機は、上記のいずれかの衛星放送受信チューナを搭載しているので、オートサーチの時間を短縮出来る。
【発明の効果】
【００３９】
本発明のデジタル衛星放送受信チューナは、以上のように、上記オートサーチ実行手段によって実行されるオートサーチ時に、選局ＰＬＬの周波数は固定のまま、上記ＱＰＳＫ復調ＩＣの周波数引き込み範囲を、通常使用時よりも広い周波数引き込み範囲となるように設定する周波数引き込み範囲設定手段と、上記オートサーチ時に、上記通常使用時より広い周波数引き込み範囲内で、上記ＱＰＳＫ復調ＩＣの信号サーチ開始周波数を設定する信号サーチ開始周波数設定手段と、上記オートサーチ時に、特定の周波数ステップで上記信号サーチ開始周波数をシフトしながら、信号サーチを行う信号サーチ手段とを有するものである。
【００４０】
それゆえ、オートサーチの時間が短縮されたデジタル衛星放送受信チューナを提供するという効果を奏する。
【発明を実施するための最良の形態】
【００４１】
本発明の一実施形態について図１〜図７に基づいて説明すれば、以下の通りである。
【００４２】
図１に本発明に係るデジタル衛星放送システム１のブロック図を示す。衛星からの信号２をＤＩＳＨアンテナ３で受信し、ＬＮＢ４で周波数変換される。周波数変換後の信号は、衛星放送受信機５に入力される。衛星放送受信機５は、例えばセットトップボックス（ＳＴＢ:Set Top Box）である。衛星放送受信機５に入力されるＲＦ信号６は、チューナ部７へ入力され、チューナ部７が有するＡＭＰ８により信号レベルを調整される。信号レベルを調整後のＲＦ信号は、ローカル周波数Ｆ＿ｌｏの信号を出力するＰＬＬ９、周波数Ｆ＿ｌｏの信号の位相を９０°シフトする９０度位相器１０、並びに信号レベルを調整後のＲＦ信号と位相を９０°シフトされた周波数Ｆ＿ｌｏの信号とを混合するミキサ１１及びミキサ１２によりベースバンド信号に変換される。上記ベースバンド信号は、ＬＰＦ（ローパスフィルタ）１３及びＬＰＦ１４により帯域外の不必要な信号を除去された後、ＱＰＳＫ復調ＩＣ１５が有するＱＰＳＫ復調部１６に入力される。ＱＰＳＫ復調ＩＣ１５には、振動子２７が接続され、振動子２７によりＱＰＳＫ復調ＩＣ１５に基準周波数が提供される。振動子２７には、通常水晶振動子が用いられる。
【００４３】
希望信号の選局は、通常、バックエンド・デコーダ部１７が有するＭＰＥＧ復調ＩＣ１８に搭載されるＣＰＵ１９が、ＱＰＳＫ復調ＩＣ１５を制御し、ユーザが指定した選局情報を元に、ＱＰＳＫ復調部１６経由で、ＰＬＬ９にＰＬＬ制御信号２０を送信することにより、選局周波数情報を設定することで行われる。ＬＰＦ１３及びＬＰＦ１４から出力され、ＱＰＳＫ復調部１６に入力された、ベースバンド信号（Ｉ信号）２１及びベースバンド信号（Ｑ信号）２２は、バックエンド・デコーダ部１７からのＱＰＳＫ復調部制御信号２３により、デジタル復調が行われ、ＴＳ（トランスポートストリーム）信号２４として出力される。ＴＳ信号２４は、ＭＰＥＧ復調ＩＣ１８により、映像／音声信号２５に復調される。
【００４４】
図２に、ＱＰＳＫ復調ＩＣ１５の内部構成を示すブロック図を示す。ＣＰＵ１９から信号線３３を介してＱＰＳＫ復調部制御信号２３が伝送され、ＱＰＳＫ復調ＩＣ１５内部のスレーブＩ２Ｃマネージャ３４及びクロックマネジメント３５を介して、ＰＬＬ９にＰＬＬ制御信号２０が伝送される。信号線３３は、信号線ＳＣＬ及び信号線ＳＤＡを有している。
【００４５】
ＬＰＦ１３及びＬＰＦ１４から出力されたベースバンド信号（Ｉ信号）２１及びベースバンド信号（Ｑ信号）２２は、ＱＰＳＫ復調部３６にて復調処理が施された後、誤り訂正部３７及びＴＳ信号マネージャ３８を介して、ＴＳ信号２４としてＱＰＳＫ復調ＩＣ１５の外部に出力される。誤り訂正部３７では、リードソロモン符号を用いた復号化処理やデインターリーブ処理等が施される。
【００４６】
信号を受信する場合、受信される信号条件に応じて、チューナ部７及びＱＰＳＫ復調部１５を制御する必要がある。信号の受信は、選局周波数の設定と、ＱＰＳＫ復調部１５での信号サーチとによって行われる。チューナ部７及びＱＰＳＫ復調部１５の制御は、バックエンド・デコーダ部１７に搭載されるＣＰＵ１９により行われ、制御プログラムは、予めＭＰＥＧ復調ＩＣ１８の外部に設けられたメモリ２６等に記憶されているものを使用する。
【００４７】
図３に、チューナに入力されるＲＦ信号の概略図を示す。横軸を周波数として、チューナが受信する信号の周波数の範囲９５０ＭＨｚ〜２１５０ＭＨｚに、ＱＰＳＫ変調された信号ＴＰ（トランスポンダ）が、衛星毎に決められた周波数テーブルに従って存在する。仕様上、各ＴＰのシンボルレートは、１Ｍｓｐｓ〜４５Ｍｓｐｓの範囲の値を取りうることになる。
【００４８】
衛星放送における信号受信において、受信地域毎に、地理的要因等から信号状況が異なることから、同じ衛星からの信号においても、受信できるＴＰ信号の数が異なってくる場合がある。このため、デジタル衛星放送システムが有するアンテナ及びチューナの初期設置時において、衛星毎に受信可能チャンネルの可否の検証、即ちオートサーチを行う必要がある。視聴時は、このオートサーチの情報を元にチャンネル選択を行うことになる。
【００４９】
ＱＰＳＫ復調の周波数引き込み範囲は、通常±５ＭＨｚ程度に設定されている。これは、衛星からの信号（C-Band :4G-8GHz／Ku-band:12G-18GHz）を受信するＤＩＳＨアンテナ３に取り付けられたＬＮＢ４によって、周波数がチューナ受信帯域（９５０ＭＨｚ〜２１５０ＭＨｚ）にダウンコンバートされるが、ダウンコンバートの際に使用されるＬＮＢ４のローカル発振周波数Ｆ＿ｌｎｂ＿ｌｏが、屋外の温度変動等によりドリフトすることにより、コンバート後のチューナ入力周波数にオフセットが生じる。このオフセット周波数の想定量から、ＱＰＳＫ復調の周波数引き込み範囲を±５ＭＨｚ程度としている。
【００５０】
ＱＰＳＫ復調部１６の機能としての引き込み能力としては、通常、上記周波数引き込み範囲よりも広い範囲が設定可能である。たとえば、現行チューナとして搭載されているＱＰＳＫ復調ＩＣ１５が有するＱＰＳＫ復調部１１６の周波数引き込み範囲は、仕様上、±Fmclk／２＝１００ＭＨｚ、即ちFmclk＝１００ＭＨｚとなっており、±５０ＭＨｚの周波数引き込み範囲があることになる。
【００５１】
図４を参照して、デジタル衛星放送システム１がオートサーチを行う方法を示す。
【００５２】
図４におけるＲＦ信号周波数の概略図において、受信周波数範囲の下端Ｆｍｉｎ＝９５０ＭＨｚ、受信周波数範囲の上端Ｆｍａｘ＝２１５０ＭＨｚ、ＱＰＳＫ復調部の引き込み範囲を±Ｆｑｐｓｋ＿ｍａｘ／２とする。また、９５０ＭＨｚ〜２１５０ＭＨｚのチューナが受信する信号の周波数の範囲内において信号サーチを行うにあたって、ＱＰＳＫ復調部１５において、信号サーチ開始周波数をシフトさせながら実施するが、この信号サーチ開始周波数のシフトは周波数ステップＦｓｔｅｐ’ずつ行われるものとする。選局周波数、即ち各ＱＰＳＫ引き込み周波数のセンタをＦ〔Ｎ〕、各ＱＰＳＫ引き込み周波数の下端をＦｍｉｎ〔Ｎ〕、及び各ＱＰＳＫ引き込み周波数の上端をＦｍａｘ〔Ｎ〕（Ｎ＝０,１,・・・）とする。
【００５３】
上述した信号サーチを行う具体的な方法を示す。ＱＰＳＫ復調を行うＱＰＳＫ復調ＩＣ１５には、レジスタが用意されていて、指定の信号サーチ開始周波数に相当するレジスタ値を計算式により求め、このレジスタ値をＱＰＳＫ復調ＩＣ１５のレジスタに書き込むことで上記信号サーチが実行される。通常、上記レジスタに上記レジスタ値を書き込むことで信号サーチが開始される。また、信号サーチ開始周波数を中心とした信号サーチを行う場合の周波数範囲についても、別途上記レジスタを設定することにより規定することができる。
【００５４】
例えば、最初に受信周波数範囲の下端Ｆｍｉｎに対応する周波数範囲について信号サーチする場合、この信号サーチを行うために、選局周波数Ｆ〔０〕＝Ｆｍｉｎ＋Ｆｒａｎｇｅ＿ｍａｘ／２に対して選局を行う。次に、周波数引き込み範囲ＲＡＮＧＥ＿Ｆ１内において、信号サーチ開始周波数を中心周波数Ｆ１に設定する。これに伴い、信号サーチ範囲ＲＡＮＧＥ１を、中心周波数Ｆ１を中心として±Ｆ＿ｑｐｓｋ／２の範囲に設定する。
【００５５】
信号サーチ範囲ＲＡＮＧＥ１における信号サーチが終了後、信号サーチ開始周波数を、中心周波数Ｆ１から＋Ｆｓｔｅｐ’だけシフトした中心周波数Ｆ２として、同様に±Ｆ＿ｑｐｓｋ／２の範囲において信号サーチを行う。このように信号サーチを繰り返し、信号サーチ開始周波数を周波数ステップＦｓｔｅｐ’ずつシフトし、周波数引き込み範囲ＲＡＮＧＥ＿Ｆｍまで信号サーチを行う。この時点で、信号サーチ範囲が、周波数引き込み範囲の上端Ｆｍａｘ〔０〕に達することとなり、周波数引き込み範囲の下端Ｆｍｉｎ〔０〕から周波数引き込み範囲の上端Ｆｍａｘ〔０〕までの周波数引き込み範囲（センタ周波数Ｆ〔０〕）についての信号サーチが終了する。
【００５６】
次に、隣の周波数引き込み範囲について信号サーチを行うために、選局周波数Ｆ〔１〕の選局を行う。選局周波数Ｆ〔１〕は、周波数引き込み範囲を加味して、Ｆ〔１〕＝Ｆ〔０〕＋Ｆｓｔｅｐ’とする。ここで、周波数ステップＦｓｔｅｐ’＝Ｆｒａｎｇｅ＿ｍａｘである。
【００５７】
上記隣の周波数範囲において、周波数Ｆ〔０〕での信号サーチと同様、信号サーチ開始周波数を中心周波数Ｆ１〜中心周波数Ｆｍまで周波数ステップＦｓｔｅｐ’ずつシフトさせながら、周波数引き込み範囲ＲＡＮＧＥ＿Ｆ１から周波数引き込み範囲ＲＡＮＧＥ＿Ｆｍまで信号サーチを行う。
【００５８】
以上を繰り返し、周波数引き込み範囲が、受信周波数範囲の上限Ｆｍａｘ＝２１５０ＭＨｚに達する選局周波数Ｆ〔Ｎ〕＝Ｆｍｉｎ＋Ｆｒａｎｇｅ＿ｍａｘ＊Ｎに対応信号サーチ範囲まで信号サーチを行うことで、受信周波数範囲の下端Ｆｍｉｎ＝９５０から受信周波数範囲の上端Ｆｍａｘ＝２１５０ＭＨｚまでの受信周波数範囲について信号サーチを実行することができる。
【００５９】
通常、チューナ部７において、ＱＰＳＫ復調部１５に入力される、ベースバンド信号（Ｉ信号）２１及びベースバンド信号（Ｑ信号）２２は、チューナフロントエンド部２８において、ＬＰＦ１３及びＬＰＦ１４により帯域制限をかけられ、余分な高周波成分が排除される。ＬＰＦ１３及びＬＰＦ１４の帯域幅は通常、受信信号帯域幅に応じて調整が行えるよう、可変となっている。しかし、オートサーチが実行されるに当たっては、受信信号条件（信号周波数・帯域幅）は未知の状態であるため、ＬＰＦ１３及びＬＰＦ１４の設定は最も広く設定しておく必要がある。
【００６０】
ＬＰＦ１３及びＬＰＦ１４の帯域幅について、信号帯域の仕様が１Ｍｓｐｓ〜４５Ｍｓｐｓであることから、ＬＰＦ１３及びＬＰＦ１４は、４５Ｍｓｐｓ以上の信号を受ける必要が無い。このため、通常、チューナフロントエンド部２８の仕様としては、この信号を受信するにあたって必要なＬＰＦバンド幅ＢＷ＿ＭＡＸ＝４５Ｍｓｐｓ×α程度が最大帯域幅となっている。ここで、αはロールオフファクタ(roll-off factor)であり、α＝１．３５とする。
【００６１】
このため、図５に示すように、ＱＰＳＫ復調ＩＣ１５が±５０ＭＨｚ程度の周波数引き込み範囲の能力を有しているにもかかわらず、実際には、チューナフロントエンド部２８のＬＰＦ１３及びＬＰＦ１４による制約のため、±ＢＷ＿ＭＡＸ／２(≒±３０MHz程度)を超える部分は、サーチできない領域となる。
【００６２】
この影響を避けるため、ＬＰＦ１３及びＬＰＦ１４の帯域を無限大に設定するモードを用意しておくことで、ＱＰＳＫ復調ＩＣ１５の周波数引き込み範囲を最大限利用出来る、効率的な信号サーチが可能になる。
【００６３】
通常、チューナフロントエンド部２８とＱＰＳＫ復調部１５とは別々のブロック、もしくは別々のＩＣとして構成され、ＱＰＳＫ復調部１５から、チューナフロントエンド部２８へ、オートサーチ時と通常サーチ時とでＬＰＦ１３及びＬＰＦ１４の帯域のモードを切り替える命令を送信する必要がある。フロントエンド部をＱＰＳＫ復調に取り込み一体化することで、一括した処理で対応が可能となる。
【００６４】
実際にチューナフロントエンド部２８について、ＬＰＦ１３及びＬＰＦ１４がある場合を想定する。
【００６５】
図６に示すように、チューナフロントエンド部２８の受信帯域が設定されている状態を考えると、例えば、中心周波数Ｆ１に存在する信号ＴＰ１を受信する場合、信号ＴＰ１は全て受信帯域内に入っているので、問題なく受信できることが可能になる。
【００６６】
信号ＴＰ２を受信する場合、信号の帯域自体は信号ＴＰ１と同等であるが、存在する周波数がＦ２となっているため、受信帯域外に信号成分がはみ出してしまっている。このため、実際の受信にあたっては、性能劣化が引き起こされる。
【００６７】
信号ＴＰ２’については、中心周波数Ｆ２に存在するが、信号帯域が狭いため、受信性能劣化は引き起こされない。
【００６８】
以上のように、チューナフロントエンド部２８にＬＰＦ１３及びＬＰＦ１４がある場合、受信帯域のエッジの部分近くに存在する信号は、信号成分が受信帯域をはみ出してしまうことにより受信性能が劣化する弊害が想定される。信号サーチにおいては、受信範囲の周辺部に近いほど、受信できる信号帯域幅を制限する必要がある。
【００６９】
従って、受信帯域が制限された周波数引き込み周波数範囲内における信号サーチでは、信号サーチする周波数の位置に応じて、受信可能な信号帯域幅の最大値を変化させる機能を設けることで対応する。受信可能な信号帯域幅を変化させる場合、ＱＰＳＫ復調部１５にて設定するものとする。
【００７０】
この場合、上記受信範囲の周辺部でサーチ出来なかった広い帯域の信号成分に対しては、受信帯域を次のエリアにシフトさせるに当たって、信号サーチ範囲を重なるように設定することで対応するものとする。
【００７１】
上記信号サーチ範囲が重なっている部分の信号サーチについて、図７に示す。図７のチューナフロントエンド部２８の受信帯域である受信帯域２９の領域において、信号ＴＰ１＿１の信号帯域を規定の信号帯域の最大値ｂｗ＿ＭＡＸ＝４５Ｍｓｐｓとすると、信号成分は全て受信帯域２９の内側に入っているので、信号ＴＰ１＿１の中心周波数Ｆ１＿１においては、規定の信号帯域、即ち１Ｍｓｐｓ〜４５Ｍｓｐｓの信号が受信可能であることが分かる。
【００７２】
信号帯域がｂｗ＿ＭＡＸである信号が、受信帯域２９において、問題なく受信できる周波数は、信号帯域の右端が、受信帯域の右端と一致する、信号ＴＰ１＿２の位置が限界となる。信号ＴＰ１＿２に関しては、信号ＴＰ１＿２の信号帯域ｂｗ１＿２＝４５Ｍｓｐｓの右端と、受信帯域２９の右端とが一致している。中心周波数Ｆ１＿２より右側の領域に中心周波数が存在する場合、この領域の信号サーチを行う場合において、帯域の広い信号は、信号成分が受信帯域２９からはみ出ることとなるため、受信性能が劣化することになる。このため、中心周波数Ｆ１＿２より右側の領域３１は、帯域の広い信号の受信が制約される領域となる。従って、この領域の信号サーチを行う場合、図７において、符号ＴＰ１＿３で示す信号のように、その中心周波数Ｆ１＿３と受信帯域２９の右端との間隔ｂｗ１＿３／２を考慮して、間隔ｂｗ１＿３／２より狭い信号帯域の信号のみを受信できることを前提に信号サーチする必要がある。
【００７３】
受信帯域２９において、該帯域内の右側の部分で受信帯域が制約されていたため、サーチ出来なかった広い帯域の信号については、次に信号サーチを行う受信帯域、即ちチューナフロントエンド部２８の受信帯域である受信帯域３０でサーチする。受信帯域３０では、既に狭い帯域の信号サーチは終了しているので、ＱＰＳＫ復調部１５にて、特定の帯域の信号以上をサーチさせる設定にするものとする。
【００７４】
受信帯域２９の中心周波数Ｆ１から、受信帯域３０の中心周波数Ｆ２へ、選局周波数をΔＦだけシフトさせる。この場合、ΔＦは次式で表すことが出来る。
【００７５】
ΔＦ＝ＢＷ＿ＭＡＸ−ｂｗ＿ＭＡＸ
ここで、ＢＷ＿ＭＡＸはチューナ受信帯域であり、ｂｗ＿ＭＡＸは信号帯域の最大値である。本実施形態ではｂｗ＿ＭＡＸ＝４５Ｍｓｐｓである。
【００７６】
受信帯域３０において、受信帯域２９で受信帯域が制約され始める中心周波数Ｆ１＿２に相当する中心周波数Ｆ２＿１を中心とする領域をサーチする。しかし中心周波数Ｆ２＿１では、受信帯域２９において信号帯域ｂｗ＿ｍａｘ以外の信号帯域は信号サーチが終了しているので、信号帯域ｂｗ＿ｍａｘの信号をサーチするだけでよい。同様に、受信帯域が重なる部分においては、狭い信号帯域の信号のサーチは済んでおり、周波数が高い帯域に進むほど、信号サーチ済みの帯域が狭くなっている。信号サーチが済んでいない帯域については、領域３２で信号サーチを行うことで補うものとする。
【００７７】
つまり、領域３２において、中心周波数Ｆ２＿２、即ち、領域３１で、中心周波数Ｆ１＿３に相当する周波数において信号サーチを行う場合、既に領域３１において、信号帯域ｂｗ１＿３より狭い帯域の信号のサーチは済んでいるので、領域３２では、信号帯域ｂｗ１＿３より広い帯域の信号のみをサーチするだけでよい。
【００７８】
上記を繰り返し、領域が重なっている部分のサーチが終了後、信号帯域に制約がない領域においては、通常の信号帯域１Ｍｓｐｓ〜４５Ｍｓｐｓで信号サーチを行う。
【００７９】
領域が重なっている部分で、信号帯域を制限して信号サーチをしているが、通常、狭い帯域の信号をサーチする場合、広い帯域の信号をサーチする場合より信号サーチに時間がかかる。このため、領域毎に信号サーチを行う信号帯域を分担することで、複数回、狭い帯域の信号を確認することを避けることが出来、効率良く信号サーチを行うことができる。従って、オートサーチの時間が短縮される。
【００８０】
以上の処理は、通常、バックエンド・デコーダ部１７が有するＣＰＵ１９に組み込まれたソフトウェアによって行われるが、オートサーチを行う機能をＱＰＳＫ復調ＩＣ１５自体に組み込むことで、ＣＰＵ１９の負荷を減らすことができる。
【００８１】
また、オートサーチを行う機能を有するＱＰＳＫ復調ＩＣ１５と、ＭＰＥＧ復調ＩＣ１８とを一体化することで、効率的な処理及びＩＣの小型化が可能になる。
【００８２】
上述した機能を有するデジタル衛星放送受信チューナを搭載することで、オートサーチに要する時間が従来と比較して短い衛星放送受信機を提供することが可能になる。
【００８３】
また、例えば、受信周波数範囲の下端Ｆｍｉｎ＝９５０、受信周波数範囲の上端Ｆｍａｘ＝２１５０ＭＨｚ、周波数引き込み範囲Ｆｒａｎｇｅ＿ｍａｘ＝±５０ＭＨｚ(＝１００ＭＨｚ)の場合を想定すると、周波数選局に伴うウェイト時間の合計は、下記となる。
【００８４】
（Ｆｍａｘ−Ｆｍｉｎ）／Ｆｒａｎｇｅ＿ｍａｘ＊１００〔ｍｓ〕
＝(２１５０−９５０〔ＭＨｚ〕)／５０〔ＭＨｚ〕＊１００〔ｍｓ〕
＝２４００〔ｍｓ〕＝２．４秒
となり、従来例におけるウェイト時間である６０秒と比較して大きく短縮されることがわかる。
【００８５】
このように、衛星放送受信機５は、ＰＬＬ９の周波数は固定のまま、ＱＰＳＫ復調ＩＣ１５の通常使用時よりも広い周波数引き込み範囲を主に利用して信号サーチを行っているので、ＰＬＬ９の選局回数を減らすことが可能となり、ＰＬＬ９の周波数の固定時に必要なウェイト時間が短縮される。従って、オートサーチ時間を短縮することが出来る。
【００８６】
〔実施形態の総括〕
本発明の実施形態に係る衛星放送受信チューナは、ベースバンド信号をデジタル復調するＱＰＳＫ復調ＩＣ１５と、衛星放送受信機５の初期設置時に、衛星毎の受信可能チャンネルの検証であるオートサーチを実行するオートサーチ実行手段とを備えた衛星放送受信チューナにおいて、上記オートサーチ実行手段は、ＰＬＬ９の周波数は固定のまま、ＱＰＳＫ復調ＩＣ１５の周波数引き込み範囲を、通常使用時よりも広い周波数引き込み範囲となるように設定する周波数引き込み範囲設定手段と、上記通常使用時より広い周波数引き込み範囲内で、ＱＰＳＫ復調ＩＣ１５の信号サーチ開始周波数を設定する信号サーチ開始周波数設定手段と、特定の周波数ステップで上記信号サーチ開始周波数をシフトしながら、信号サーチを行う信号サーチ手段とを有することを特徴とする。
【００８７】
上記発明によれば、ＱＰＳＫ復調ＩＣ１５は、通常使用時よりも広い周波数引き込み範囲、及び信号サーチ開始周波数のオフセットを設定する機能を有している。
【００８８】
受信周波数範囲をサーチするにあたって、選局周波数をシフトすることで行うのではなく、ＱＰＳＫ復調ＩＣ１５の内部で、信号サーチ開始周波数のオフセットを設定する機能を利用して、このオフセット値を周波数ステップＦｓｔｅｐ’でシフトさせる。
【００８９】
上記通常使用時よりも広い引き込み範囲内において、通常、引き込み範囲の中心からスタートし、予め設定された周波数範囲について信号をサーチするが、ＱＰＳＫ復調ＩＣ１５は、信号サーチ開始周波数を任意に設定することが可能である。この機能及び上記通常使用時よりも広い引き込み範囲を最大限利用し、この引き込み範囲全域を、信号サーチ開始周波数を特定ステップでシフトさせながら信号サーチを行う。
【００９０】
このように、上記発明によれば、ＰＬＬ９の周波数は固定のまま、上記通常使用時よりも広い周波数引き込み範囲を主に利用して信号サーチを行っているので、ＰＬＬ９の選局回数を減らすことが可能となり、ＰＬＬ９の周波数の固定時に必要なウェイト時間が短縮される。従って、オートサーチ時間を短縮することが出来る。
【００９１】
上記衛星放送受信チューナでは、前記オートサーチ実行手段は、ＰＬＬ９の周波数を、ＱＰＳＫ復調ＩＣ１５の周波数引き込み範囲毎にシフトさせることで、受信周波数範囲全体について信号サーチを行ってもよい。
【００９２】
これにより、受信周波数全域について信号サーチを行う場合、まず、上記通常使用時よりも広い引き込み範囲で信号サーチを行い、上記より広い引き込み範囲の信号サーチ終了後に、選局周波数のシフトを行う。選局周波数のシフトを行う周波数ステップＦｓｔｅｐ’は、上記より広い引き込み範囲をオフセット周波数分だけシフトすればよいことになる。
【００９３】
以上のように、オートサーチにおいて、受信周波数範囲を信号サーチする場合、実際の選局周波数のシフトと、ＱＰＳＫ復調ＩＣ１５のオフセット設定機能による信号サーチ開始周波数のシフトとを組み合わせて利用することで、選局回数を減らすことが出来る。
【００９４】
従って、選局回数を減らすことにより、選局時のウェイト時間を短縮させることが出来るので、オートサーチ時間を短縮することが出来る。
【００９５】
上記衛星放送受信チューナでは、上記周波数引き込み範囲設定手段は、ＰＬＬ９の周波数のシフトによる周波数シフト範囲を、ＱＰＳＫ復調ＩＣ１５の周波数引き込み範囲よりも狭く設定し、上記オートサーチ実行手段は、上記周波数シフト範囲とＱＰＳＫ復調ＩＣ１５の周波数引き込み範囲との間に、最大受信帯域分を重複する領域を持たせる領域重複手段を有してもよい。
【００９６】
これにより、領域毎に信号サーチを行う信号帯域を分担することで、複数回、狭い帯域の信号を確認することを避けることが出来、効率良く信号サーチを行うことができる。
【００９７】
上記衛星放送受信チューナでは、上記オートサーチ実行手段は、ＱＰＳＫ復調部１６で受信する信号帯域幅の範囲を任意に設定する信号帯域幅設定手段を有してもよい。
【００９８】
これにより、上記重複する領域におけるサーチにおいて、それぞれの領域におけるサー
チが、同じ信号条件とならなくなる。領域毎に信号サーチを行う信号帯域を分担することで、複数回、狭い帯域の信号を確認することを避けることが出来、効率良く信号サーチを行うことが出来る。
【００９９】
上記衛星放送受信チューナでは、上記オートサーチ実行手段は、チューナフロントエンド部２８に用意されている帯域フィルタの帯域幅をＱＰＳＫ復調ＩＣ１５の周波数引き込み範囲よりも広く設定する帯域フィルタ帯域幅設定手段を有し、上記オートサーチ実行手段は、ＱＰＳＫ復調ＩＣ１５の周波数引き込み範囲を広げた状態でオートサーチを実施してもよい。
【０１００】
これにより、ＱＰＳＫ復調ＩＣ１５の周波数引き込み範囲を最大限利用出来る、効率的な信号サーチが可能になる。
【０１０１】
上記衛星放送受信チューナでは、ＱＰＳＫ復調ＩＣ１５は、上記いずれかの各手段を有してもよい。
【０１０２】
これにより、効率良く信号サーチを行うことが出来、選局回数を減らし、選局時のウェイト時間を短縮させることが出来るので、オートサーチ時間を短縮することが出来る。
【０１０３】
上記衛星放送受信チューナでは、ＱＳＫＰ復調ＩＣ１５から出力されたデジタル復調信号から記録信号を復調するＭＰＥＧ復調ＩＣ１８を備え、ＭＰＥＧ復調ＩＣ１８は、上記いずれかの各手段を有してもよい。
【０１０４】
これにより、オートサーチを行う手段を有するＱＰＳＫ復調ＩＣ１５と、上記ＭＰＥＧ復調ＩＣ１８とを一体化することが出来、効率的な処理及びＩＣの小型化が可能になる。
【０１０５】
本発明の衛星放送受信機は、上記のいずれかの衛星放送受信チューナを搭載しているので、オートサーチの時間を短縮出来る。
【産業上の利用可能性】
【０１０６】
本発明のデジタル衛星放送受信チューナは、オートサーチの時間を短縮出来るので、デジタル衛星放送システムに好適に利用することが出来る。
【図面の簡単な説明】
【０１０７】
【図１】本発明の実施形態に係るデジタル衛星放送システムを示すブロック図である。
【図２】ＱＰＳＫ復調ＩＣの内部構成を示すブロック図である。
【図３】本発明の実施形態に係るデジタル衛星放送システムが有するチューナ部に入力されるＲＦ信号の概略図である。
【図４】ＲＦ信号周波数の概略図であり、本発明のデジタル衛星放送システムのオートサーチによりＲＦ信号を受信していることを示す図である。
【図５】チューナフロントエンド部の受信帯域が設定されている状態を示す図である。
【図６】チューナフロントエンド部の受信帯域が設定されている状態を示す図である。
【図７】信号サーチ範囲が重なっている部分の信号サーチを示す図である。
【図８】従来のデジタル衛星放送システムを示すブロック図である。
【図９】従来のデジタル衛星放送システムが有するチューナ部に入力されるＲＦ信号の概略図である。
【図１０】従来のデジタル衛星放送システムのオートサーチによりＲＦ信号を受信していることを示す図である。
【符号の説明】
【０１０８】
１  デジタル衛星放送システム
２  信号
３  ＤＩＳＨアンテナ
４  ＬＮＢ
５  衛星放送受信機
６  ＲＦ信号
７  チューナ部
８  ＡＭＰ
９  ＰＬＬ（選局ＰＬＬ）
１０  度位相器
１１、１２  ミキサ
１３、１４  ＬＰＦ
１５  ＱＰＳＫ復調ＩＣ（オートサーチ実行手段、周波数引き込み範囲設定手段、信号サーチ開始周波数設定手段、信号サーチ手段、オートサーチ実行手段、領域重複手段、信号帯域幅設定手段、帯域フィルタ帯域幅設定手段）
１６  ＱＰＳＫ復調部
１７  バックエンド・デコーダ部
１８  ＭＰＥＧ復調ＩＣ
１９  ＣＰＵ
２０  ＰＬＬ制御信号
２１、２２  ベースバンド信号
２３  ＱＰＳＫ復調部制御信号
２４  ＴＳ信号
２５  映像／音声信号
２６  メモリ
２７  振動子
２８  チューナフロントエンド部（チューナＲＦ部）
２９、３０  受信帯域
３１、３２  領域
ＢＷ  ＬＰＦバンド幅
Ｆ１、Ｆ２  中心周波数
Ｆｓｔｅｐ、Ｆｓｔｅｐ’  周波数ステップ
ＴＰ、ＴＰ１、ＴＰ２、ＴＰ２’  信号
【図１】
2009105859.tif 000003
【図２】
2009105859.tif 000004
【図３】
2009105859.tif 000005
【図４】
2009105859.tif 000006
【図５】
2009105859.tif 000007
【図６】
2009105859.tif 000008
【図７】
2009105859.tif 000009
【図８】
2009105859.tif 000010
【図９】
2009105859.tif 000011
【図１０】
2009105859.tif 000012